(57)【要約】【課題】足場の組み立て・解体を行うことなく、立坑内の水抜き作業と並行して既設立坑が撤去可能な、既設立坑の撤去方法を提供する。【解決手段】既設立坑の撤去方法において、立坑内の水上に浮き足場を浮かべ、既設立坑の撤去箇所に応じて、立坑内の水位を調節し、浮き足場から既設立坑を撤去することを特徴とするものである。【選択図】図１
2006207344.tif 000002
【特許請求の範囲】
【請求項１】
既設立坑の撤去方法において、
立坑内の水上に浮き足場を浮かべ、
既設立坑の撤去箇所に応じて、立坑内の水位を調節し、
浮き足場から既設立坑を撤去することを特徴とする、
既設立坑の撤去方法。
【請求項２】
立坑の拡幅工法における既設立坑の撤去方法において、
内側浮き足場を立坑内の既設立坑で覆われた箇所の水面に浮かべ、
外側浮き足場を立坑内の既設立坑と新設立坑とで囲まれた箇所の水面に浮かべ、
既設立坑の撤去箇所に応じて、立坑内の水をポンプで汲み上げて、水位を調節し、
内側浮き足場から既設立坑を撤去することを特徴とする、
立坑の拡幅工法における、既設立坑の撤去方法。
【請求項３】
既設立坑に開口を設け、既設立坑で覆われた箇所の水位と、既設立坑と新設立坑とで囲まれた箇所の水位と、を同時に調節することを特徴とする、請求項２に記載の、立坑の拡幅工法における既設立坑の撤去方法。
【発明の詳細な説明】
【技術分野】
【０００１】
本発明は、既設立坑の撤去方法、例えば、立坑の拡幅工法における既設立坑の撤去方法に関するものである。
【背景技術】
【０００２】
従来、立坑を拡幅する工法においては、鋼製セグメント圧入工法によって既設立坑を圧入したまま、拡幅する領域を水上掘削し、新たな鋼製セグメントを圧入した後に、既設立坑の撤去を行う方法が、広く知られている。
【０００３】
上記の撤去方法では、新たな立坑の圧入後に、立坑内の水抜きを完全に行った後、立坑の底部から、足場９を順次組み上げ、既設立坑２の撤去が完了した後に、前記足場９を解体する作業が必須である。（図３）
【発明の開示】
【発明が解決しようとする課題】
【０００４】
しかし、図３に記載した従来の撤去方法にあっては、以下のような問題を抱えていた。
＜１＞足場９の組み立て、解体作業が必要となる。
＜２＞足場９の組み立て前には、立坑１の水抜きを行う必要があり、水抜きと既設立坑２の撤去作業を並行して行うことができない。
＜３＞足場９で作業する工員の安全管理の負担が大きい。
＜４＞立坑１の規模が大きいほど、前述した問題点による工期・工費の負担が大きくなる。
【０００５】
特許文献１に記載された発明は、深礎工事のコンクリート打設方法において、コンクリート打設によるコンクリート上面の上昇に追従して作業足場を上昇させ、打設コンクリートの締め固め作業を行うものであるが、従来の既設立坑の撤去においては、上記作業足場を用いることは相当の創意工夫が必要であった。
【特許文献１】特許第３１７９２４３号公報
【課題を解決するための手段】
【０００６】
上記のような課題を解決するために、本発明の第１発明は、既設立坑の撤去方法において、立坑内の水上に浮き足場を浮かべ、既設立坑の撤去箇所に応じて、立坑内の水位を調節し、浮き足場から既設立坑を撤去することを特徴とするものである。
【０００７】
また、本発明の第２発明は、立坑の拡幅工法における既設立坑の撤去方法において、内側浮き足場を立坑内の既設立坑で覆われた箇所の水面に浮かべ、外側浮き足場を立坑内の既設立坑と新設立坑とで囲まれた箇所の水面に浮かべ、既設立坑の撤去箇所に応じて、立坑内の水をポンプで汲み上げて、水位を調節し、内側浮き足場から既設立坑を撤去することを特徴とするものである。
【０００８】
また、本発明の第３発明は、本発明の第２発明に記載の立坑の拡幅工法における既設立坑の撤去方法において、既設立坑に開口を設け、既設立坑で覆われた箇所の水位と、既設立坑と新設立坑とで囲まれた箇所の水位と、を同時に調節することを特徴とするものである。
【発明の効果】
【０００９】
本発明の撤去方法は、上記した課題を解決するための手段により、次のような効果を得ることができる。
＜１＞足場の組み立て、解体作業が不要となる。
＜２＞立坑内の水抜き作業と並行して既設立坑の撤去作業を行うことができる。
＜３＞高所での作業を無くし、安全に既設立坑の撤去作業を行うことができる。
＜４＞上記利点に伴い、工期・工費の効率化を図ることができる。
【発明を実施するための最良の形態】
【００１０】
以下、図１、図２を参照しながら本発明の実施の形態について説明する。
【実施例】
【００１１】
＜１＞全体構成
本実施例では、公知である鋼製セグメント圧入工法（アーバンリング工法）により、圧入した既設立坑２から、同工法により、新たに新設立坑３に拡幅工事を行うものである。
【００１２】
＜２＞拡幅作業
拡幅工事に伴い、新設立坑３を圧入した後、新設立坑３で囲まれた地中領域を掘削する。公知の鋼製セグメント圧入工法によれば、盤ぶくれ防止のために水中掘削を行うのが一般的である。
【００１３】
＜３＞浮き足場の設置
地上から、クレーン等、公知の方法で、浮き足場を立坑内に浮かべる。
本実施例では、既設立坑の内側の領域に浮かべる浮き足場を内側浮き足場４とし、既設立坑の外側に浮かべる浮き足場を外側浮き足場５とする。
上記二種の浮き足場は、エキスパンドメタルなどにより形成された作業床に浮きの代わりとなるドラム缶などの中空体を取り付けたものである。
また、上記二種の浮き足場の周囲には、手すりが設けられている。
【００１４】
＜４＞浮き足場への乗降
作業員は梯子７を用いて、地上から外側浮き足場５に降り、その後内側浮き足場４へは、渡り梯子８を用いて、移動する。
【００１５】
＜５＞水位の調節
既設立坑２には、潜水夫などによって事前に開口部２１を設けておき、水中ポンプ６によって立坑内の水を汲み上げ、既設立坑２の内側と外側の水位を同時に下げて、既設立坑２の撤去作業位置まで内側浮き足場４と外側浮き足場５を移動させる。
【００１６】
＜６＞浮き足場の固定
既設立坑２の撤去作業位置まで、内側浮き足場４と外側浮き足場５を移動させた後、単管やクランプを用いて、既設立坑２や、新設立坑３に固定する。
【００１７】
＜７＞既設立坑２の撤去
既設立坑２の撤去方法は、周知の方法で行い、既設立坑２のセグメントを所定の数だけ撤去した後、内側浮き足場４と外側浮き足場５の固定を解除し、次回の水位調節に備える。
【００１８】
以下、既設立坑の撤去が完了するまで＜５＞−＜７＞の手順を繰り返す。
【００１９】
＜８＞浮き足場の撤去
既設立坑２の撤去完了後には、内側浮き足場４及び外側浮き足場５をクレーンなどの周知の方法で地上に引きあげて撤去する。
【００２０】
本実施例における既設立坑の撤去方法では、従来の既設立坑の撤去作業に費やす工期と比較して、２ヶ月の工期短縮・工事原価の低減を実現し、かつ高所作業を無くし、安全作業に寄与することができた。
【図面の簡単な説明】
【００２１】
【図１】浮き足場からの既設立坑の撤去作業を示す図。
【図２】浮き足場からの既設立坑の撤去作業を示す平面図。
【図３】従来の既設立坑の撤去作業を示す図。
【符号の説明】
【００２２】
１・・・立坑
１０・・底盤コンクリート
２・・・既設立坑
２１・・開口部
３・・・新設立坑
４・・・内側浮き足場
５・・・外側浮き足場
６・・・水中ポンプ
７・・・梯子
８・・・渡り梯子
９・・・足場
【図１】
2006207344.tif 000003
【図２】
2006207344.tif 000004
【図３】
2006207344.tif 000005